(57)【要約】【課題】本発明は、キャップ体とホルダとの装着解除時におけるキャップ体又はホルダの飛び出しを無くすことができ、破損や汚れの発生を回避することができる化粧料容器１を提供するものである。【解決手段】本発明の化粧料容器は、突出状態に棒状のチップ１０を保持したホルダ２と、キャップ体２０とを螺合することにより装着し、チップ１０をキャップ体２０に内蔵したコイルスプリング２７により化粧料を収容した中皿２５を介して付勢した状態で該キャップ体２０内に収容する化粧料容器１であって、チップ１０の先端部の最大径よりも、キャップ体２０内のチップ１０の通過領域においてキャップ体中心に向けて突設したしごき片２８の内径を小さくし、キャップ体２０とホルダ２との螺合解除の際にコイルスプリング２７により押し出されるチップ１０の先端部の最大径部分をしごき片２８に当接させてチップ１０とキャップ体２０との離脱を防止する離脱防止機構を設けたものである。【選択図】図１
2004129953.tif 000002
【特許請求の範囲】
【請求項１】
化粧料塗布体を突出状態に保持したホルダと、キャップ体とを装着し、前記化粧料塗布体を、キャップ体に内蔵した弾性体により化粧料を収容した中皿を介して付勢した状態で、キャップ体内に収容する化粧料容器であって、
前記化粧料塗布体、キャップ体間に、キャップ体とホルダとの装着解除の際に前記弾性体により押し出される化粧料塗布体とキャップ体との離脱を防止する離脱防止機構を設けたこと特徴とする化粧料容器。
【請求項２】
化粧料塗布体を構成する棒状のチップを突出状態にチップを保持したホルダと、キャップ体とを螺合することにより装着し、前記チップを、キャップ体に内蔵したコイルスプリングにより化粧料を収容した中皿を介して付勢した状態で、キャップ体内に収容する化粧料容器であって、
前記チップの先端部の最大径よりも、キャップ体内の前記チップの通過領域においてキャップ体中心に向けて突設したしごき片の内径を小さく形成し、キャップ体とホルダとの螺合解除の際に前記コイルスプリングにより押し出されるチップの先端部の最大径部分をしごき片に当接させて前記チップとキャップ体との離脱を防止する離脱防止機構を設けたこと特徴とする化粧料容器。
【発明の詳細な説明】
【発明の属する技術分野】
本発明は、アイライナー等の化粧料を塗布する化粧料塗布体を備えた化粧料容器に関するものである。
【従来の技術】
従来、この種の化粧料容器においては、例えば、突出状態に化粧料塗布用の棒状のチップを保持した有底筒状のホルダと、有底筒状のキャップ体とを、これら両者を螺合することにより装着し、チップ先端を中皿に収容した化粧料に接触させるとともに、キャップ体に内蔵したコイルスプリングにより前記中皿を介してチップをキャップ体開口側に付勢し、チップに対する化粧料の付着を確実に行うようにしている。
【発明が解決しようとする課題】
しかしながら、前記従来のキャップ体とホルダとの螺合を解除し、ホルダを取り出してチップに付着した化粧料を実際に瞼等に塗ろうとする際、キャップ体とホルダとを両手に持っている場合は別として、片手だけでキャップ体、ホルダのいずれかを把持しているような場合には、コイルスプリングによる付勢力のため、キャップ体又はホルダが勢いよく飛び出し、床等に落下してしまうという問題がある。
この結果、従来、ホルダ自体又はキャップ体が破損したり、化粧料塗布用のチップに汚れや破損が生じたりという不都合が発生していた。
本発明は、かかる従来の実情に鑑みて開発されたものであり、キャップ体とホルダとの装着解除時におけるキャップ体又はホルダの飛び出しを無くすことができ、破損や汚れの発生を回避することができる化粧料容器を提供するものである。
【課題を解決するための手段】
上記課題を解決するために、請求項１記載の発明は、突出状態に化粧料塗布体を保持したホルダと、キャップ体とを装着し、前記化粧料塗布体を、キャップ体に内蔵した弾性体により化粧料を収容した中皿を介して付勢した状態で、該キャップ体内に収容する化粧料容器であって、前記化粧料塗布体、キャップ体間に、キャップ体とホルダとの装着解除の際に前記弾性体により押し出される化粧料塗布体とキャップ体との離脱を防止する離脱防止機構を設けたこと特徴とするものである。
請求項２記載の発明は、突出状態に化粧料塗布体を構成する棒状のチップを保持したホルダと、キャップ体とを螺合することにより装着し、前記チップを、キャップ体に内蔵したコイルスプリングにより化粧料を収容した中皿を介して付勢した状態で、該キャップ体内に収容する化粧料容器であって、前記チップの先端部の最大径よりも、キャップ体内の前記チップの通過領域においてキャップ体中心に向けて突設したしごき片の内径を小さくし、キャップ体とホルダとの螺合解除の際に前記コイルスプリングにより押し出されるチップの先端部の最大径部分をしごき片に当接させて前記チップとキャップ体との離脱を防止する離脱防止機構を設けたこと特徴とするものである。
請求項１、２記載の本発明によれば、化粧料塗布体、キャップ体間に、キャップ体とホルダとの装着解除の際に前記弾性体により押し出される化粧料塗布体とキャップ体との離脱を防止する離脱防止機構を設けているので、キャップ体とホルダとの装着解除時のキャップ体又はホルダの飛び出しを無くすことができ、キャップ体、ホルダの破損や、化粧料塗布体の汚れを防止できる。
更に、具体的には、キャップ体とホルダとの螺合解除の際に、コイルスプリングにより押し出される化粧料塗布体であるチップの先端部の最大径部分をしごき片に当接させて、チップとキャップ体との離脱を防止するものであるから、仮にキャップ体とホルダとを片手に持って螺合解除を行っても、キャップ体又はホルダの飛び出しを無くすことができ、キャップ体、ホルダの破損や、化粧料塗布体の汚れを防止できる。
【発明の実施の形態】
以下、本発明の実施の形態について詳細に説明する。
図１は本発明の実施の形態の化粧料容器１を示すものであり、この化粧料容器１は、一方の端部から突出状態に化粧料塗布体を構成する棒状のチップ１０を保持する例えば有底円筒状のホルダ２と、ホルダ２に対して螺合により装着される有底円筒状のキャップ体２０とを有している。
ホルダ２は、図２にも示すように、一方の端部側は開口し、この開口部分にチップ１０を一方の端部側で外方に突出する状態で保持する略丸棒状のチップカートリッジ３を交換可能に装着している。すなわち、チップカートリッジ３の一方の端部側に近い領域に鍔部３ａを設け、この鍔部３ａを前記ホルダ２の開口に密着接合するとともに、一方の端部側の外周にキャップ体２０との螺合用の雄ネジ４を設けている。
更に、チップカートリッジ３は、図３にも示すように、一方の端部側に嵌着した円筒状のチップ保持部材５及び支持体５ａを介してチップ１０の後端側を保持し、このチップ１０の先端部１０ａを外方に突出させている。
チップ１０の先端部１０ａの形状は、例えば楕円球状に形成され、その最大径Ｘは前記チップ保持部材５の外径より大きくしている。
前記キャップ体２０は、前記ホルダ２と略同径の有底円筒状に形成されている。すなわち、キャップ体２０は、前記ホルダ２と略同径の筒状体２１と、この筒状体２１の端部２１ａを閉塞するように嵌着した端板２２ａ及び筒状体２１内に伸びる挿入筒２２ｂからなるエンドキャップ２２とを有している。
また、前記キャップ体２０は、前記ホルダ２と対向させる端部側内周に前記雄ネジ４と螺合させる雌ネジ２４を設けている。また、前記キャップ体２０内には、前記挿入筒２２ｂの近傍位置に、挿入筒２２ｂ側に段付で、且つ、孔２５ａ付の底板を有し、前記雌ネジ２４側が開口した中皿２５を配置し、この中皿２５内に各種の化粧料２６を収容している。更に、前記挿入筒２２ｂの最深部と前記段付の底板との間に弾性体であるコイルスプリング２７を配置して、前記中皿２５を常時雌ネジ２４側（キャップ体２０の開口側）に付勢している。
化粧料２６としては、例えば、アイライナー、アイブロー、アイカラー、チークカラー、口紅、ファンデーション、リップライナー、コンシラー等を挙げることができる。
更に、前記キャップ体２０は、図４に示すように、このキャップ体２０内の前記チップ１０の通過領域において、キャップ体中心に向けて突設したしごき片２８を備えている。しごき片２８の内径Ｙは、前記チップ１０の先端部１０ａの最大径Ｘよりも少し小さく（Ｘ＞Ｙ）している。また、しごき片２８の内径Ｙは、前記チップ保持部材５の外径より僅かに大きく設定し、チップ保持部材５の外周が摺接しつつスライド可能に設定している。
前記しごき片２８は、キャップ体２０内において、開口側が鈍角で立ち上がり、中皿２５側が直角に立ち上がる断面が変形台形状に形成している。
次に、本実施の形態の化粧料容器１の作用を、チップ１０、キャップ体２０間の離脱防止の点を主にし、且つ、図４乃至図６をも参照して説明する。
ホルダ２とキャップ体２０との装着は、図４に示すように、ホルダ２の一方の端部から突出しているチップ１０をキャップ体２０内に挿入し、しごき片２８により強制的に縮ませつつ通過させた後、前記雄ネジ４を雌ネジ２４に螺合させて、ホルダ２とキャップ体２０とを装着状態とする。
これにより、チップ保持部材５の外周が前記しごき片２８に摺接しつつスライドし、前記チップ１０の先端部１０ａは、図５に示すように、中皿２５に収容した化粧料２６に接触し、化粧料２６が付着する。このとき、チップ１０は、キャップ体２０に内蔵したコイルスプリング２７により中皿２５を介してキャップ体開口側に付勢された状態となる。
次に、実際の使用に際し、図６に示すように、前記雄ネジ４と雌ネジ２４との螺合状態を解除すると、前記コイルスプリング２７によりチップ１０は図６に示す矢印方向に押し出されるが、既述したように、しごき片２８の内径Ｙは、前記チップ１０の先端部１０ａの最大径Ｘよりも少し小さいので、図６に示すようにチップ１０の先端部１０ａの最大径部分がしごき片２８により妨げられ、この結果、チップ１０、従ってホルダ２はキャップ体２０から離脱することが無くなる。
このようにして、キャップ体２０とホルダ２との装着解除時のキャップ体２０又はホルダ２の飛び出しを無くすことができ、キャップ体２０やホルダ２の破損、チップ１０の汚れの発生を回避することができる。
本発明は、上述した実施の形態の他、種々の変形が可能である。
例えば、ホルダの両端に、実施の形態と同様な構成のチップカートリッジ、チップ及びキャップ体を配置し、両側キャップ体内に異なる種類の化粧料を収容することで、一本で２種の化粧を行うことができる。
また、キャップ体のエンドキャップの部分に、異なる種類の化粧料を収容した別のキャップ体を着脱可能に装着した一本で２種の化粧を行うことができるダブルキャップ体構造とすることも可能である。
【発明の効果】
本発明によれば、離脱防止機構により、キャップ体とホルダとの装着解除時におけるキャップ体又はホルダの飛び出しを無くすことができ、キャップ体、ホルダの破損や、化粧料塗布体の汚れを防止できる化粧料容器を提供することができる。
また、本発明によれば、キャップ体とホルダとの螺合解除の際に、コイルスプリングにより押し出される化粧料塗布体であるチップの先端部の最大径部分をしごき片に当接させて、チップとキャップ体との離脱を防止する機構のものであるから、仮にキャップ体とホルダとを片手に持って螺合解除を行っても、キャップ体又はホルダの飛び出しを無くすことができ、キャップ体、ホルダの破損や、化粧料塗布体の汚れを防止できる化粧料容器を提供することができる。
【図面の簡単な説明】
【図１】本発明の実施の形態の化粧料容器の全体構成を示す断面図である。
【図２】本実施の形態の化粧料容器のホルダ及びチップを示す断面図である。
【図３】本実施の形態の化粧料容器のチップカートリッジ及びチップを示す部分拡大断面図である。
【図４】本実施の形態の化粧料容器のホルダとキャップ体との装着直前の状態を示す部分拡大断面図である。
【図５】本実施の形態の化粧料容器のホルダとキャップ体との装着状態を示す部分拡大断面図である。
【図６】本実施の形態の化粧料容器のホルダとキャップ体との装着解除を示す部分拡大断面図である。
【符号の説明】
１　　化粧料容器
２　　ホルダ
３　　チップカートリッジ
３ａ　鍔部
４　　雄ネジ
５　　チップ保持部材
１０　　チップ
１０ａ　先端部
２０　　キャップ体
２１　　筒状体
２１ａ　端部
２２　　エンドキャップ
２２ａ　端板
２２ｂ　挿入筒
２４　　雌ネジ
２５　　中皿
２６　　化粧料
２７　　コイルスプリング
２８　　しごき片
【図１】
2004129953.tif 000003
【図２】
2004129953.tif 000004
【図３】
2004129953.tif 000005
【図４】
2004129953.tif 000006
【図５】
2004129953.tif 000007
【図６】
2004129953.tif 000008